(57)【要約】      （修正有）【課題】リチウム電池の構造を大幅に簡素化し、コストも大幅に削減できるポール付き片側溶接フレキシブル接続シートを提供する。【解決手段】ポール付き片側溶接フレキシブル接続シートは、第１の接続シート１０１を含み、第１の接続シートは、上向きに設けられた先端面を備え、第１の接続シートの先端面には、上方向へ延在するポール１０９が凸設され、セルに接続される第２の接続シート１００が第１の接続シートの一方の側辺から外へ延在し、第２の接続シートは第１の接続シートに対して下方へ曲がり、セルの側辺に設けられる。ポール付き片側溶接フレキシブル接続シートは、第１の接続シートの先端面にポールが凸設されることにより、リチウム電池では第１の接続シートに対応する位置にポールを別途に設置する必要がなくなり、そのまま第１の接続シートの上のポールを利用してキャップを貫通すればよい。【選択図】図１
0003229363.tif 000002
【実用新案登録請求の範囲】
【請求項１】
ポール付き片側溶接フレキシブル接続シートであって、
第１の接続シートを含み、前記第１の接続シートは、上向きに配置された先端面を備え、前記第１の接続シートの前記先端面には、上方向へ延在するポールが凸設され、セルに接続される第２の接続シートは、前記第１の接続シートの一方の側辺から外へ延在し、前記第２の接続シートは、前記第１の接続シートに対して下方へ曲がり、前記セルの側辺に配置されることを特徴とするポール付き片側溶接フレキシブル接続シート。
【請求項２】
前記第１の接続シートの前記先端面には、突起部が凸設され、前記突起部は、前記ポールを形成し、前記ポールの頂部には、接続ポストが凸設されることを特徴とする請求項１に記載のポール付き片側溶接フレキシブル接続シート。
【請求項３】
前記ポールの前記頂部には、溶接バンプが凸設されることを特徴とする請求項２に記載のポール付き片側溶接フレキシブル接続シート。
【請求項４】
前記ポールの前記頂部には、前記溶接バンプが２つ凸設されることを特徴とする請求項３に記載のポール付き片側溶接フレキシブル接続シート。
【請求項５】
２つの前記溶接バンプは、前記接続ポストの両側にそれぞれ配置されることを特徴とする請求項４に記載のポール付き片側溶接フレキシブル接続シート。
【請求項６】
前記第１の接続シートは、前記先端面の反対側にある下端面を有し、前記第１の接続シートの前記下端面は、上方に凹むように配置される中空領域を有することを特徴とする請求項１〜請求項５のいずれか一項に記載のポール付き片側溶接フレキシブル接続シート。
【請求項７】
前記中空領域と前記ポールとは、上下に位置合わせされて配置されることを特徴とする請求項６に記載のポール付き片側溶接フレキシブル接続シート。
【請求項８】
前記中空領域は、前記ポールの内部まで上方へ延在することを特徴とする請求項７に記載のポール付き片側溶接フレキシブル接続シート。
【請求項９】
前記中空領域の外形輪郭は、前記ポールの外形輪郭に相似し、前記中空領域は、前記ポールに囲まれた範囲内にあることを特徴とする請求項８に記載のポール付き片側溶接フレキシブル接続シート。
【請求項１０】
前記ポールは、前記第１の接続シートと一体成形されることを特徴とする請求項１〜請求項５のいずれか一項に記載のポール付き片側溶接フレキシブル接続シート。
【考案の詳細な説明】
【技術分野】
【０００１】
本考案はリチウム電池技術分野に関し、特にポール付き片側溶接フレキシブル接続シートに関する。
【背景技術】
【０００２】
現在、電子製品の小型化、軽量化及び携帯性の進展に伴い、ビデオカメラやノートパソコンや携帯電話などのような電子製品の駆動電源も高容量、高安全性および軽量化に向かっており、リチウム電池はその高容量などの優れた特性で電子製品に広く利用されている。
【０００３】
リチウム電池はケース、キャップ及びセルなどを含み、そのうち、セルがケースに内蔵され、ケースの上端に上端開口を有し、キャップはケース上端の開口に閉鎖されている。キャップに導電ブロックを設置し、導電ブロックはキャップを貫通するポールを有し、当該導電ブロックはフレキシブル接続シートによってセルに電気的に接続されている。
【０００４】
従来の技術では、ポールを備えた導電ブロックを特別に設置し、フレキシブル接続シートを用いて導電ブロックとセルを電気的に接続しなければならないため、全体構造が複雑で、コストが高い。
【考案の概要】
【考案が解決しようとする課題】
【０００５】
本考案におけるポール付き片側溶接フレキシブル接続シートは従来の技術におけるリチウム電池の複雑な構造及び高いコストという問題を解決することを目的とする。
【課題を解決するための手段】
【０００６】
本考案は次のように実現される。ポール付き片側溶接フレキシブル接続シートは第１の接続シートを含み、上記第１の接続シートは、上向きに設けられた先端面を備え、上記第１のコネクターの先端面に上方向へ延在するポールが凸設され、セルに接続される第２の接続シートが上記第１の接続シートの一方の側辺から外へ延在し、上記第２の接続シートは上記第１の接続シートに対して下方へ曲がり、セルの側辺に設けられる。
【０００７】
さらに、第１の接続シートの先端面に突起部が凸設され、上記突起部は上記ポールを形成し、上記ポールの頂部に接続ポストが凸設される。
さらに、上記ポールの頂部に溶接バンプが凸設される。
さらに、上記ポールの頂部に２つの上記溶接バンプが凸設される。
さらに、２つの上記溶接バンプは上記接続ポストの両側にそれぞれ位置する。
【０００８】
さらに、上記第１の接続シートは上記先端面の反対側にある下端面を有し、上記第１の接続シートの下端面は上に凹むように設けられる中空領域を有する。
さらに、上記中空領域と上記ポールとは上下に位置合わせされて設けられる。
さらに、上記中空領域は上記ポールの内部まで上方へ延在する。
さらに、上記中空領域の外形輪郭は上記ポールの外形輪郭に相似し、また上記中空領域は上記ポールに囲まれた範囲内にある。
さらに、上記ポールは上記第１の接続シートと一体成形される。
【考案の効果】
【０００９】
従来の技術と比べ、本考案におけるポール付き片側溶接フレキシブル接続シートは、第１の接続シートの先端面にポールが凸設されることにより、リチウム電池では第１の接続シートに対応する位置にポールを別途に設置する必要がなくなり、そのまま第１の接続シートの上のポールを利用してキャップを貫通すればよいので、リチウム電池の構造が大幅に簡素化し、リチウム電池のコストも大幅に削減する。
【図面の簡単な説明】
【００１０】
【図１】本考案の実施例に係るポール付き片側溶接フレキシブル接続シートを示す斜視模式図である。
【図２】本考案の実施例に係る接続ポストを設置した、ポール付き片側溶接フレキシブル接続シートを示す斜視模式図である。
【考案を実施するための形態】
【００１１】
本考案の目的、技術的解決手段及び利点をより分かりやすくするためには、以下、図面及び実施例に従って、本考案をより詳細に説明する。ここで説明される具体的な実施例は、本考案を解釈するためのものに過ぎず、本考案を限定するためのものではないことを理解すべきである。
【００１２】
以下、具体的な実施例に従って本考案を詳細に説明する。
本実施例の図面に示される同一または類似の符号は、同一または類似の構成要素に対応する。本考案の説明において、理解すべきことは、用語「上」、「下」、「左」、「右」などで示される向きや位置関係は、図面に示される方向や位置関係に基づき、本考案の記述と簡単化記述のための便宜上のものに過ぎず、言及された装置又は構成要素が特定の方向を有し、また特定の方向で構築、操作する必要性を明示又は示唆するものでないので、図面において位置関係を示す用語は例示的な記述であり、本特許を限定するものと理解されるべきではない。また当業者にとっては、具体的な状況に応じて上記用語の具体的な意味を理解できる。
【００１３】
図１−２に示すように、本考案の好ましい実施例である。
本考案に係るポール付き片側溶接フレキシブル接続シートはリチウム電池に活用されるが、本実施例に限らず、その他のタイプの電池にも活用されることは言うまでもない。
【００１４】
本実施例に係るポール付き片側溶接フレキシブル接続シートは第１の接続シート１０１を含み、当該第１の接続シート１０１は上向きに設けられた先端面を備え、第１の接続シート１０１の先端面に上方向へ延在するポール１０９が凸設され、実際の組立てでは、第１の接続シート１０１のポール１０９はキャップを貫通し、第２の接続シート１００は上記第１の接続シートの一方の側辺から外へ延在し、当該第２の接続シート１００はセルに接続され、第２の接続シート１００は第１の接続シート１０１に対して下方へ曲がり、セルの側辺に設けられる。
【００１５】
上記のようなポール付き片側溶接フレキシブル接続シートは、第１の接続シート１０１の先端面にポール１０９が凸設されることにより、リチウム電池では第１の接続シート１０１に対応する位置にポール１０９を別途に設置する必要がなくなり、そのまま第１の接続シート１０１の上のポール１０９を利用してキャップを貫通すればよいので、リチウム電池の構造が大幅に簡素化し、リチウム電池のコストも大幅に削減する。
【００１６】
本実施例において、第１の接続シート１０１の先端面に突起部を凸設し、当該突起部は上記ポール１０９を形成し、図２に示すように、ポール１０９の頂部に接続ポスト１０８を凸設し、当該接続ポスト１０８を使用して外部部品に接続することにより、リチウム電池と外部部品の接続を実現することができる。
【００１７】
突起部の頂部に溶接バンプ１１０を凸設することは、第１の接続シート１０１の溶接に寄与する。本実施例において、突起部に２つの上記溶接バンプ１１０を設置し、且つ当該２つの溶接バンプ１１０は接続ポスト１０８の両側に位置することにより、溶接後の第１の接続シート１０１の接続がさらに強固になる。
【００１８】
本実施例において、第１の接続シート１０１は先端面の反対側にある下端面を有し、第１の接続シート１０１の下端面は上に凹むように設けられる中空領域１０７を有し、中空領域１０７を設置することにより、フレキシブル接続シートを軽量化でき、リチウム電池の軽量化を実現することが可能である。
【００１９】
具体的に、中空領域１０７とポール１０９とが上下に位置合わせされて設けられることにより、中空領域１０７の設置による第１の接続シート１０１の強度への影響という問題を回避する。そして、中空領域１０７はポール１０９の内部まで上方へ延在し、好ましくは、中空領域１０７の外形輪郭はポール１０９の外形輪郭に相似し、またポール１０９に囲まれた範囲内にある。
【００２０】
本実施例において、第１の接続シート１０１はポール１０９とプレスにより一体成形され、又は、その他の工程により一体成形されてもよい。
第１の接続シート１０１と第２の接続シート１００の接続部の両側には切り欠き１０６をそれぞれ設置することにより、接続強度に影響を与えることなく、さらに軽量化することができる。
本実施例において、第２の接続シート１００はセルに面する内端面を有し、第２の接続シート１００の内端面に溝１０３が設けられている。
【００２１】
好ましい実施例としては、溝１０３はスジ状に設けられ、第２の接続シート１００の下部に亘っていることにより、溝１０３の寸法を最大限に増大し、より軽量化という効果を達成することができる。そして、第２の接続シート１００の内端面に２つの上記溝１０３を設置し、２つの溝１０３は間隔をおいて設けられる。
【００２２】
２つの溝１０３が間隔をおいて設けられ、２つの溝１０３の間に凸条１０４を形成することによって、溝１０３を設置するものの、凸条１０４を使用して第２の接続シート１００の強度要件を確保できる。
【００２３】
本実施例において、第２の接続シート１００の側辺にはセルに接続される開閉具１０２は外へ延在し、第２の接続シート１００は当該開閉具１０２によってセルに接続され、そして、開閉具１０２の側縁は斜め状になり、これによって、開閉具１０２の接続性能に影響を与えることなく、ポール付き片側溶接フレキシブル接続シートをさらに軽量化する。
【００２４】
開閉具１０２は第２の接続シート１００の側辺に接続され、また開閉具１０２は第２の接続シート１００に対して相対的に揺動ことができ、開閉具１０２と第２の接続シート１００の接続部に貫通穴１０５を開設し、これによって、開閉具１０２と第２の接続シート１００の間の揺れをよりスムーズにするだけでなく、さらなる軽量化という効果を達成ことができる。
【００２５】
以上は本考案の好適な実施例に過ぎず、本考案を限定するためのものではない。本考案の精神と原則を逸脱しない範囲において実施される如何なる修正、均等置換、改良などがいずれも本考案の保護範囲に含まれるべきである。
【符号の説明】
【００２６】
１００  第２の接続シート
１０１  第１の接続シート
１０２  開閉具
１０３  溝
１０４  凸条
１０５  貫通穴
１０７  中空領域
１０８  接続ポスト
１０９  ポール
１１０  溶接バンプ
【図１】
0003229363.tif 000003
【図２】
0003229363.tif 000004